(57)【要約】【課題】制御対象機器の運転を長時間停止させることなく、効率的に制御盤の構成部品の更新を行う。【解決手段】電機装置は、筐体１内に配置される複数の部品取付けフレーム４と、盤外電気配線２１と盤内電気配線２２とを連結する端子台６ａ、６ｂと、端子台６ａ、６ｂと部品取付けフレーム４を連結する端子台取付けアーム７とを有する。端子台取付けアーム７は、水平方向に延びて一方の端部が部品取付けフレーム４に取り付けられて鉛直方向に並んで互いに平行に複数配置された第１水平部材８と、部品取付けフレーム４が接続されていない方の第１水平部材８の端部にそれぞれ連結されて端子台６ａ、６ｂと接続される複数の第２水平部材９とを有する。端子台６ａ、６ｂは端子台取付けアーム７により部品取付けフレーム４に近づくように移動できる。【選択図】図１
2009183056.tif 000002
【特許請求の範囲】
【請求項１】
少なくとも４面の側面を具備する筐体と、前記筐体内に配置される複数の部品取付けフレームと、前記部品取付けフレームに取り付けられる複数の電気部品と、前記筐体の１つの側面の鉛直に延びる稜線に平行に前記筐体内に配置されて前記筐体の外部に配置される機器に接続された盤外電気配線と前記電気部品に接続された盤内電気配線とを連結する端子台と、前記端子台を支持して前記端子台と前記部品取付けフレームを連結する端子台取付けアームと、を有する電機装置において、
前記端子台取付けアームは、
水平方向に延びて長手方向の側面が前記部品取付けフレームに取り付けられた第１水平部材と、
前記第１水平部材の端部に連結されて前記端子台と接続される第２水平部材と、
を有し、
前記端子台は、前記端子台取付けアームに取り付けられた状態で前記部品取付けフレームに近づくように水平に移動できるように構成されていることを特徴とする電機装置。
【請求項２】
前記端子台取付けアームは、前記第１水平部材および第２水平部材がヒンジを介して接続されて、前記端子台取付けアームは前記ヒンジを介して前記第２水平部材および端子台が一体となって水平に回動できるように構成されることを特徴とする請求項１に記載の電機装置。
【請求項３】
前記端子台取付けアームは、前記部品取付けフレームに平行移動を補助する第１ガイドが配置されて、この第１ガイドに沿って前記第１水平部材が水平に平行移動できるように構成されて、前記第１水平部材の前記第２水平部材と接続される方の端部には平行移動を補助する第２ガイドが配置されて、前記第２水平部材は、前記第１水平部材が延びる方向に水平垂直に平行移動できるように構成されていることを特徴とする請求項１に記載の電機装置。
【請求項４】
前記筐体は略直方体であって、１つの側面の鉛直に延びる両側の稜線それぞれに沿って前記端子台が配置されて、前記端子台が互いに近づくように移動したときに、少なくとも前記部品取付けフレーム、複数の電気部品、端子台、盤内電気配線、および端子台取付けアームが一体となって前記筐体へ搬入および搬出されるように構成されることを特徴とする請求項１ないし請求項３のいずれか一項に記載の電機装置。
【請求項５】
既設の筐体の外部で、部品取付けフレームに、複数の電気部品、盤内電気配線、端子台、および端子台取付けアームを一体となるように組み立てる構成部品組立て工程と、
前記構成部品組立て工程の後に、前記端子台取付けアームを水平移動させて前記部品取付けフレームに近づける第１の端子台水平移動工程と、
前記既設の筐体内部の部品取付けフレーム、複数の電気部品、盤内電気配線、端子台、および端子台取付けアームを取り外して撤去する撤去工程と、
前記第１の端子台水平移動工程および撤去工程の後に、前記部品取付けフレーム、複数の電気部品、盤内電気配線、端子台、および端子台取付けアームを一体化して前記既設の
筐体内に搬入する構成部品搬入工程と、
前記構成部品搬入工程の後に、前記端子台を所定の取付け位置に水平移動させて設置する第２の端子台水平移動工程と、
前記第２の端子台水平移動工程の後に、前記端子台に盤外電気配線を接続する端子台配線接続工程と、
を有することを特徴とする電機装置の更新方法。
【発明の詳細な説明】
【技術分野】
【０００１】
本発明は、制御盤等の電機装置およびその構成部品を更新する更新方法に関する。
【背景技術】
【０００２】
複数の機器を具備するプラントやシステム等の監視や制御を行うための電機装置、例えば制御盤は、長年使用された後に行われる制御システムの変更や、制御盤に組み込まれている制御回路等の電気部品の経年劣化などにより、新規品に更新する場合が生じる。
【０００３】
制御盤は一般的に、外側を正面扉、背面扉、天井板、底板、および側面化粧板などで囲われた筐体を有している。この筐体には、例えば、筐体の外部に配置される制御対象機器の制御を行う制御回路等を有する電気部品、電気配線等を接続する端子台、などが設置されている。
【０００４】
制御盤の更新は、制御盤の筐体を含めた全ての部品を新規品と交換する方法、および既設の筐体を流用して筐体の内部に配置される構成部品を更新する方法などが知られている。
【０００５】
全ての部品を新規品に交換する方法は、筐体、制御盤内の制御装置や制御回路等の電気部品、端子台、および盤内配線などを含めて制御盤本体ごと新品と交換する方法であって、予め既設と同一サイズの新設制御盤を新規に製作し、既設の制御盤を撤去した跡地に新設の制御盤を据え付ける方法である。
【０００６】
一方、例えば特許文献１、特許文献２、および特許文献３に開示されているように、既設の筐体を流用して制御盤の更新を行う方法は、制御装置や制御回路等の電気部品、端子台、盤内配線等の構成部品を制御盤の据付け現地で更新する方法である。すなわち、既設の筺体を流用し、筐体に設置されている構成部品を撤去した後に、新しい構成部品の更新を据付現場で行う方法である。
【特許文献１】特開２０００−１３９３６号公報
【特許文献２】特開２０００−１３９３７号公報
【特許文献３】特開２００５−５１８６１号公報
【発明の開示】
【発明が解決しようとする課題】
【０００７】
ところが、上述の既設制御盤の筐体を流用して制御盤の更新を行う従来の方法は、制御盤本体ごと更新する方法に比べて更新のための作業期間中に制御盤の機能を停止させる時間を長く必要とする。この停止時間が長くなると、更新する制御盤により制御される機器も長時間停止することになるので、プラントの稼働率等の低下を招く。
【０００８】
制御盤の構成部品の更新において最も時間を要する作業は盤内配線である。盤内配線作業は、制御信号１点当たり１本の配線を必要とし、多くの配線を有する制御盤では、長時間を必要とする作業である。
【０００９】
一般に、電気部品等を接続した盤内配線の一端は、制御盤の筐体内に取り付けられた端子台に着脱可能に接続されている。また、この端子台には、制御盤外の制御対象機器から延びる電気配線が、着脱可能な状態で接続されている。
【００１０】
接続対象機器の配置や耐ノイズを考慮して配線ルートを決めて、この配線ルートに基づいて狭い制御盤の中で１本１本引き回し電気部品等と端子台との間を接続する作業は、作業効率が低い。さらに複数の配線が入り混じった状態では、後々の保守作業の効率にも悪影響を及ぼす可能性がある。
【００１１】
さらにこの後に、盤内配線が正しく接続されているかどうか配線チェックを行う必要がある。このため、制御盤の更新開始から終了まで多大な作業時間を要し、更新期間中に長時間連続してシステムの運転を停止させることになる。これは、プラントやシステムを制御する上からも好ましくない。
【００１２】
本発明は上記従来技術の課題を解決するためになされたものであり、その目的は、電機装置に接続された機器の運転を長時間停止させることなく、効率的に電機装置の構成部品の更新を行うことである。
【課題を解決するための手段】
【００１３】
上記目的を達成するため本発明に係る電機装置は、少なくとも４面の側面を具備する筐体と、前記筐体内に配置される複数の部品取付けフレームと、前記部品取付けフレームに取り付けられる複数の電気部品と、前記筐体の１つの側面の鉛直に延びる稜線に平行に前記筐体内に配置されて前記筐体の外部に配置される機器に接続された盤外電気配線と前記電気部品に接続された盤内電気配線とを連結する端子台と、前記端子台を支持して前記端子台と前記部品取付けフレームを連結する端子台取付けアームと、を有する電機装置において、前記端子台取付けアームは、水平方向に延びて長手方向の側面が前記部品取付けフレームに取り付けられた第１水平部材と、前記第１水平部材の端部に連結されて前記端子台と接続される第２水平部材と、を有し、前記端子台は、前記端子台取付けアームに取り付けられた状態で前記部品取付けフレームに近づくように水平に移動できるように構成されていることを特徴とする。
【００１４】
また、本発明に係る電機装置の更新方法は、既設の筐体の外部で、部品取付けフレームに、複数の電気部品、盤内電気配線、端子台、および端子台取付けアームを一体となるように組み立てる構成部品組立て工程と、前記構成部品組立て工程の後に、前記端子台取付けアームを水平移動させて前記部品取付けフレームに近づける第１の端子台水平移動工程と、前記既設の筐体内部の部品取付けフレーム、複数の電気部品、盤内電気配線、端子台、および端子台取付けアームを取り外して撤去する撤去工程と、前記第１の端子台水平移動工程および撤去工程の後に、前記部品取付けフレーム、複数の電気部品、盤内電気配線、端子台、および端子台取付けアームを一体化して前記既設の筐体内に搬入する構成部品搬入工程と、前記構成部品搬入工程の後に、前記端子台を所定の取付け位置に水平移動させて設置する第２の端子台水平移動工程と、前記第２の端子台水平移動工程の後に、前記端子台に盤外電気配線を接続する端子台配線接続工程と、を有することを特徴とする。
【発明の効果】
【００１５】
本発明によれば、電機装置に接続された機器の運転を長時間停止させることなく、効率的に電機装置の構成部品の更新を行うことが可能となる。
【発明を実施するための最良の形態】
【００１６】
以下、本発明に係る電機装置およびその更新方法の実施形態について、図面を用いて説明する。
【００１７】
［第１の実施形態］
本発明に係る電機装置、例えば制御盤の第１の実施形態について、図１〜図６を用いて説明する。
【００１８】
先ず、図１を用いて本実施形態の制御盤の構造について説明する。図１は、本実施形態の制御盤の筐体内部の構成部品を示し、筐体１を仮想的に点線で示して背面側から見た概略斜視図である。この制御盤は、筐体１と、この筐体１内に配置された部品取付けフレーム４、複数の電気部品５、第１端子台６ａ、第２端子台６ｂ、および複数の端子台取付けアーム７、を有している。
【００１９】
筐体１は全体でほぼ直方体形状をなし、少なくとも４面の側面、例えば正面１５、背面１６、第１側面１７、第２側面１８を有している。図１において、これらの側面の周囲を形成する水平稜線２および鉛直稜線３を仮想的に点線で示している。なお、図示は省略するが、筐体１は、天井板、底板、正面扉、背面扉、第１側板、および第２側板などにより覆われている。
【００２０】
電気部品５は、制御盤の外部に配置されている制御対象機器（図示せず）を制御する制御回路（図示せず）を具備している。
【００２１】
第１端子台６ａおよび第２端子台６ｂは、鉛直方向に延びるフレーム形状であって、制御対象機器に接続される盤外電気配線２１と制御盤内の電気部品５に接続される盤内電気配線２２とを連結する機能を有している。なお、図示は省略するが、盤外電気配線２１および盤内電気配線２２は、第１端子台６ａおよび第２端子台６ｂそれぞれに複数本接続されている。各盤内電気配線２２の一方の端部がいずれかの端子台６ａ、６ｂと接続されて、筐体１の底部の配線孔２７を貫通して、もう一方の端部は制御対象機器に接続されている。
【００２２】
端子台取付けアーム７は、筐体１内の部品取付けフレーム４と第１端子台６ａまたは第２端子台６ｂとを連結する機能を有している。
【００２３】
第１端子台６ａおよび第２端子台６ｂは、筐体１の、例えば正面１５の長辺を形成する２本の鉛直稜線３それぞれの近傍に平行に取り付けられている。
【００２４】
端子台取付けアーム７は、水平方向に延びる第１水平部材８と、この第１水平部材８に取り付けられて水平方向に延びる第２水平部材９を有している。
【００２５】
第１水平部材８は、その長辺方向の側面が部品取付けフレーム４に接続固定されている。第１水平部材８の一方の端部には、ヒンジ２５が取り付けられて第２水平部材９が回転可能に連結されている。第２水平部材９は、その一方の端部が第１水平部材８とヒンジ２５を介して連結されて、反対側の端部には第１端子台６ａまたは第２端子台６ｂが取り付けられている。
【００２６】
これらの第１水平部材８および第２水平部材９は、ヒンジ２５により連結されており、第１水平部材８は部品取付けフレーム４に固定されて、第２水平部材９が水平に回動できるように構成されている。
【００２７】
第１側面１７に対向する位置の部品取付けフレーム４に、２つの第１水平部材８が上下に互いに間隔をあけて平行に配置されている。同様に第２側面１８に対向する位置の部品取付けフレーム４に、上下に互いに間隔をあけて平行に２つの第１水平部材８が配置されている。すなわち、本実施形態の制御盤には、合計４つの端子台取付けアーム７が取り付けられている。
【００２８】
本実施形態の制御盤の更新方法について図２〜６、および図１０を用いて以下に説明する。
【００２９】
図２は、図１の制御盤の構成部品を示し、第１端子台６ａおよび第２端子台６ｂが互いに離れた状態を示す概略斜視図である。図３は、図２の概略平面図である。なお、図３においては盤内電気配線２２を省略している。
【００３０】
図４は、図１の制御盤の構成部品を示し、第１端子台６ａおよび第２端子台６ｂが互いに近づいた状態を示す概略斜視図である。図５は、図４の概略平面図である。なお、図５においては盤内電気配線２２を省略している。
【００３１】
図６は、本実施形態の筐体１であって、盤外電気配線２１以外の構成部品を撤去した状態を示し背面側から見た概略斜視図である。盤外電気配線２１は互いに平行に複数本が配置されている。図６では、正面扉３１、第１側板３２、第２側板３３、天井板３４、および底板３５で囲われて、背面扉（図示せず）が取り外された状態を模式的に示す概略斜視図である。
【００３２】
図１０は、本実施形態の制御盤の更新方法を示すフロー図である。
【００３３】
先ず、筐体１外で新しい部品取付けフレーム４を組み立てて、この部品取付けフレーム４に複数の電気部品５等を取り付ける（ステップＳ１）。この作業は、例えば、制御盤の据付け現地から離れた製造工場内で行ってもよい。このとき、電気部品５は、筐体１に組み込まれた状態と同じ配置となるように取り付けられている。続いて、４つの端子台取付けアーム７を部品取付けフレーム４に取り付ける（ステップＳ２）。このとき、第１側面１７に対向する位置の部品取付けフレーム４に、上下に２つの端子台取付けアーム７が配置されている。同様に第２側面１８に対向する位置の部品取付けフレーム４に、上下に２つの端子台取付けアーム７が配置されている。
【００３４】
この後に、第１側面１７側の部品取付けフレーム４の上下に配置された端子台取付けアーム７に第１端子台６ａを取り付ける。続いて、第２側面１８側の部品取付けフレーム４に上下に配置された端子台取付けアーム７に第２端子台６ｂを取り付ける（ステップＳ３）。
【００３５】
第１端子台６ａおよび第２端子台６ｂが取り付けられた後に、電気部品５と第１端子台６ａまたは第２端子台６ｂとを盤内電気配線２２により接続して、その後、盤内電気配線２２が正しく接続されているかどうかの配線確認を行う（ステップＳ４）。このとき、図２および図３に示すように、部品取付けフレーム４、複数の電気部品５、盤内電気配線２２、第１端子台６ａ、第２端子台６ｂ、および４つの端子台取付けアーム７等の構成部品が一体となって組み上がっている。なお、本実施形態では、盤内電気配線２２を筐体１内で配線する必要がないため、配線作業を効率的に行うことができる。
【００３６】
第１端子台６ａおよび第２端子台６ｂを取り付けた後、図４および図５に示すように、端子台取付けアーム７のヒンジ２５を中心にこれらの端子台６ａ、６ｂを回動させる。このとき第１端子台６ａおよび第２端子台６ｂは、互いに近づくように配置されている。
【００３７】
第１端子台６ａおよび第２端子台６ｂは、鉛直稜線３に沿った位置に設置されている。したがって、部品取付けフレーム４、複数の電気部品５、盤内電気配線２２、第１端子台６ａ、第２端子台６ｂ、および４つの端子台取付けアーム７が制御盤に組み込まれる状態と同じ状態のままでは、制御盤に搬入することが困難になる場合が生じる。この状況を回避するために、上述の通り第１端子台６ａおよび第２端子台６ｂを回動させて部品取付けフレーム４に近づける。第１端子台６ａおよび第２端子台６ｂが部品取付けフレーム４に近づくため、一体となった構成部品の奥行き寸法および幅寸法が小さくなる。これにより、部品取付けフレーム４、複数の電気部品５、盤内電気配線２２、第１端子台６ａ、第２端子台６ｂ、および４つの端子台取付けアーム７が一体となって組み上がった状態で、制御盤に搬入することが可能となる。
【００３８】
なお、第１端子台６ａおよび第２端子台６ｂは、可能な限り部品取付けフレーム４に近づけておくことが望ましい。また、第１端子台６ａおよび第２端子台６ｂは、互いになるべく近づけた状態で固定することが望ましい。この状態で、これらの構成部品は制御盤据付け現地まで輸送される。
【００３９】
上記工程（ステップＳ１〜Ｓ４）と並行して、図６に示すように、据付け現地に配置されている既設の制御盤の筐体１内から交換する古い部品取付けフレーム４、電気部品５、第１端子台６ａ、第２端子台６ｂ、および盤内電気配線２２等を撤去する（ステップＳ５）。このとき、古い端子台６ａ、６ｂに接続されていた盤外電気配線２１の端部は、古い端子台６ａ、６ｂから取り外された後、古い端子台６ａ、６ｂに接続されていた位置の近傍で固定しておいてもよい。
【００４０】
次に、既設の筐体１内に、新規の部品取付けフレーム４、複数の電気部品５、盤内電気配線２２、第１端子台６ａ、第２端子台６ｂ、および端子台取付けアーム７が、一体となって組み込まれる（ステップＳ６）。このとき第１端子台６ａおよび第２端子台６ｂは回動により互いに近づけられた状態のまま制御盤内に搬入される。続いて、端子台取付けアーム７のヒンジ２５を軸として回動させて、第１端子台６ａおよび第２端子台６ｂを互いに離れる方向に移動させて所定の取り付け位置、すなわち鉛直稜線３に沿った位置に設置する。
【００４１】
その後、図１に示すように、端子台取付けアーム７に取り付けられた端子台６ａ、６ｂに、制御盤の外部に配置される制御対象機器に接続されている盤外電気配線２１を接続して（ステップＳ７）、制御盤の更新作業を終了する。なお、本実施形態では、盤外電気配線２１は古い端子台６ａ、６ｂから取り外された位置付近で固定されているため、新規の端子台６ａ、６ｂが設置された後、盤外電気配線２１を直に取り付けることが可能である。
【００４２】
以上の説明からわかるように、本実施形態によれば、制御盤の据付け現地で電気部品５等の組み立ておよび配線作業等が不要となることから、据付け現地での作業時間が短縮できる。したがって、制御対象機器等の運転を長時間停止させることなく、効率的に制御盤の更新作業を行うことができる。
【００４３】
［第２の実施形態］
本発明に係る電機装置、例えば制御盤の第２の実施形態について図７、図８、図９および図１０を用いて以下に説明する。なお、第１の実施形態と同一部分または類似部分には、同一符号を付して、重複説明を省略する。
【００４４】
図７は、本実施形態の制御盤に組み込まれる構成要素の概略斜視図である。図８は、図７の第１端子台６ａおよび第２端子台６ｂが互いに離れている状態を示す概略平面図である。図９は、図７の第１端子台６ａおよび第２端子台６ｂが互いに近づいた状態を示す概略平面図である。図１０に示された内容は、第１の実施形態と共通である。
【００４５】
本実施形態の制御盤は、第１の実施形態と同様に、筐体１と、この筐体１内に配置された部品取付けフレーム４、複数の電気部品５、盤内電気配線２２、第１端子台６ａ、第２端子台６ｂ、４つの端子台取付けアーム７、を有している。筐体１、部品取付けフレーム４、複数の電気部品５、盤内電気配線２２、第１端子台６ａ、および第２端子台６ｂは、第１の実施形態と同様の機能を有している。
【００４６】
本実施形態の端子台取付けアーム７は、図７に示すように、水平方向に延びる第１水平部材８と、この第１水平部材８に取り付けられて水平方向に延びる第２水平部材９を有している。
【００４７】
第１水平部材８は、筐体１の、例えば第１側面１７に沿って水平方向に平行移動するように形成されている。第１側面１７と対向する部品取付けフレーム４には、第１水平部材８の水平移動を補助する第１ガイド１０が配置されている。第１水平部材８は、この第１ガイド１０により第１水平部材８が延びる方向に沿って水平に平行移動するように形成されている。
【００４８】
第２水平部材９は、第１水平部材８が延びる方向にほぼ垂直な水平方向に延びたフレームで、第１水平部材８の一方の端部と連結されている。
【００４９】
第２水平部材９と接続されている方の第１水平部材８の端部には、平行移動を補助する第２ガイド１１が配置されている。第２水平部材９は、この第２ガイド１１により第２水平部材９が延びる方向に沿って水平に平行移動するように形成されている。すなわち、第１水平部材８の移動方向に対して、第２水平部材９は、垂直な方向に平行移動するように形成されている。なお、第２水平部材９の一方の端部には、第１端子台６ａまたは第２端子台６ｂが取り付けられている。
【００５０】
なお、本実施形態の制御盤には、第１の実施形態と同様に、合計４つの端子台取付けアーム７が配置されている。
【００５１】
本実施形態の制御盤の更新方法について以下に説明する。
【００５２】
先ず、第１の実施形態と同様に、部品取付けフレーム４、複数の電気部品５、盤内電気配線２２、第１端子台６ａ、第２端子台６ｂ、および端子台取付けアームを組み立てて一体化して、配線確認を行う（ステップＳ１〜Ｓ４）。
【００５３】
この後、図８および図９に示すように、端子台取付けアーム７の第１水平部材８および第２水平部材９を水平移動させて第１端子台６ａおよび第２端子台６ｂを部品取付けフレーム４に近づけるように水平に平行移動させる。この平行移動により、第１端子台６ａおよび第２端子台６ｂは互いに近づくように配置されている。
【００５４】
第１端子台６ａおよび第２端子台６ｂが互いに近づいて、さらにこれらの端子台６ａ、６ｂそれぞれが部品取付けフレーム４に近づくことにより、一体となった構成部品の奥行き寸法および幅寸法が小さくなる。これにより、部品取付けフレーム４、複数の電気部品５、盤内電気配線２２、第１端子台６ａ、第２端子台６ｂ、および端子台取付けアーム７が一体となって組み上がった状態で、制御盤に搬入することが可能となる。
【００５５】
なお、第１端子台６ａおよび第２端子台６ｂは、可能な限り部品取付けフレーム４に近づけておくことが望ましい。また、端子台取付けアーム７を平行移動させてこれらの端子台６ａ、６ｂを互いになるべく近づけた状態で固定することが望ましい。この状態で、これらの構成部品は制御盤据付け現地まで輸送される。
【００５６】
次に、構成部品が撤去された既設の筐体１内に、新規の部品取付けフレーム４、複数の電気部品５、盤内電気配線２２、第１端子台６ａ、第２端子台６ｂ、および端子台取付けアーム７が、一体となって組み込まれる（ステップＳ５〜Ｓ６）。続いて、端子台取付けアーム７の第１ガイド１０および第２ガイド１１に沿って第１水平部材８および第２水平部材９を水平に平行移動させて、第１端子台６ａおよび第２端子台６ｂを互いに離れる方向に移動させて所定の取り付け位置に設置する。
【００５７】
以上の説明からわかるように、本実施形態によれば、制御盤の据付け現地で電気部品５等の組み立ておよび配線作業等が不要となることから、据付け現地での作業時間が短縮できる。したがって、制御対象機器等の運転を長時間停止させることなく、効率的に制御盤の更新作業を行うことができる。
【００５８】
また、部品取付けフレーム４、複数の電気部品５、盤内電気配線２２、端子台６ａ、６ｂ、および端子台取付けアーム７等の制御盤の構成部品が組み上がって一体化された状態は、第１の実施形態よりも、第１水平部材が平行移動することにより第２水平部材９が部品取付けフレーム４に近づくため幅寸法および奥行き寸法を小さくすることが可能である。したがって、第１の実施形態よりも、構成部品の輸送を容易に行うことが可能となる。
【００５９】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００６０】
例えば、第１の実施形態と第２の実施形態の特徴を組み合わせてもよい。すわなち、第１の実施形態における部品取付けフレーム４に、第２の実施形態の第１ガイド１０を配置してもよい。これにより、第２水平部材９を回動させると共に、第１水平部材８を平行移動させて部品取付けフレーム４に近づけることが可能となる。
【００６１】
また、上記実施形態の説明においては制御盤を例にして説明したが、本発明は必ずしも制御盤に限定されるものではなく、制御盤に類似した筐体等を有する盤構造の電機装置にも適用することが可能である。
【図面の簡単な説明】
【００６２】
【図１】本発明に係る第１の実施形態の制御盤の筐体内部の構成部品を示し、筐体を仮想的に点線で示して背面側から見た概略斜視図である。
【図２】図１の制御盤の構成部品を示し、第１端子台および第２端子台が互いに離れた状態を示す概略斜視図である。
【図３】図２の第１端子台６ａおよび第２端子台６ｂの状態を示す概略平面図である。
【図４】図１の制御盤の構成部品を示し、第１端子台および第２端子台が互いに近づいた状態を示す概略斜視図である。
【図５】図４の第１端子台６ａおよび第２端子台６ｂの状態を示す概略平面図である。
【図６】図１の実施形態の筐体であって、盤外電気配線以外の構成部品を撤去した状態を示し背面側から見た概略斜視図である。
【図７】本発明に係る第２の実施形態の制御盤に組み込まれる構成要素の概略斜視図である。
【図８】図７の端子台の状態を示し、２つの端子台が互いに離れた状態を示す概略平面図である。
【図９】図７の端子台の状態を示し、２つの端子台が互いに近づいた状態を示す概略平面図である。
【図１０】本発明に係る制御盤の更新方法を示すフロー図である。
【符号の説明】
【００６３】
１…筐体、２…水平稜線、３…鉛直稜線、４…部品取付けフレーム、５…電気部品、６ａ…第１端子台、６ｂ…第２端子台、７…端子台取付けアーム、８…第１水平部材、９…第２水平部材、１０…第１ガイド、１１…第２ガイド、１５…正面、１６…背面、１７…第１側面、１８…第２側面、２１…盤外電気配線、２２…盤内電気配線、２５…ヒンジ、２７…配線孔、３１…正面扉、３２…第１側板、３３…第２側板、３４…天井板、３５…底板
【図１】
2009183056.tif 000003
【図２】
2009183056.tif 000004
【図３】
2009183056.tif 000005
【図４】
2009183056.tif 000006
【図５】
2009183056.tif 000007
【図６】
2009183056.tif 000008
【図７】
2009183056.tif 000009
【図８】
2009183056.tif 000010
【図９】
2009183056.tif 000011
【図１０】
2009183056.tif 000012